(57)【要約】【課題】手持ち形式の照明器具において、器具本体に対してランプカバーを結合する構造であって、ランプカバーの基端部を器具本体の取り付け部に差し込み、さらに取り付け部の外周側に抜け止め突起を備えた結合リングを嵌め付けて、ランプカバーを器具本体に対して抜け不能に結合する構造において、従来結合リングが開き方向に変形してランプカバーが不用意に脱落するおそれがあった。本発明では、ランプカバーの結合強度を高めてその不用意な脱落を防止できる結合構造を提供する。【解決手段】結合リング１１の外周面にねじ山１１ｃを設けて、このねじ山１１ｃを介して結合リング１１の外周側に固定キャップ１２をねじ込むことにより結合リング１１の開き方向の変位を規制し、これによりランプカバー５の本体ケース４に対する不用意な脱落を防止する。【選択図】        図４
2004303426.tif 000002
【特許請求の範囲】
【請求項１】
一方の部材の結合部を他方の部材の結合受け部に挿入し、該結合受け部の外周側に、内周側に抜け止め突起を有し、開閉方向に弾性を有するＣ字型の結合リングを嵌め付けて、前記抜け止め突起を前記結合部に設けた抜け止め孔と前記結合受け部に設けた抜け止め孔に挿入して、前記一方の部材を前記他方の部材に対して抜け不能に結合する構造であって、
前記結合リングの外周面に雄ねじ部を設けて、該結合リングの外周側に前記雄ねじ部に噛み合う雌ねじ部を有する固定キャップを嵌め付けて前記結合リングの開きを規制した結合構造。
【請求項２】
請求項１記載の結合構造であって、結合リングの雄ねじ部のねじ山を分断して、周方向三等分位置に断続的に点在させた結合構造。
【請求項３】
請求項１記載の結合構造であって、固定キャップの内周側に、結合リングの端面に当接して該結合リングの軸方向への変位を規制する段差部を設けた結合構造。
【請求項４】
ランプを取り付けた本体ケースと、該本体ケースの端部に設けた結合受け部に結合部を挿入して該本体ケースに取り付けたランプカバーを有する照明器具において、前記結合受け部の外周側に、内周側に抜け止め突起を有し、開閉方向に弾性を有するＣ字型の結合リングを嵌め付けて、前記抜け止め突起を前記結合受け部に設けた抜け止め孔と前記ランプカバーの結合部に設けた抜け止め孔に挿入して、前記ランプカバーを前記本体ケースに対して抜け不能に結合する構造であって、
前記結合リングの外周面に雄ねじ部を設けて、該結合リングの外周側に前記雄ねじ部に噛み合う雌ねじ部を有する固定キャップを嵌め付けて前記結合リングの開きを規制した結合構造。
【発明の詳細な説明】
【０００１】
【発明の属する技術分野】
この発明は、例えば携帯用の照明器具において、本体ケースに対してカバーを結合するための構造に関する。
【０００２】
【従来の技術】
図９は、携帯用の照明器具５０を示している。この照明器具５０は、二つ割り構造の本体ケース５１の先端にランプソケット５２を介して蛍光管５３（発光体）を取り付け、この蛍光管５３を覆うようにランプカバー５４を本体ケース５１の先端に取り付けた構成を有している。本体ケース５１の後端部には、電源としてのバッテリ（図示省略）が装着される。
本体ケース５１は、使用者が把持しやすい太さの概ね円筒形状を有している。本体ケース５１の先端部には、円柱体形状のランプソケット５２を収容するとともに同じく概ね円筒形状を有するランプカバー５４を取り付けるために円筒形状の結合受け部５１ａが設けられている。この結合受け部５１ａの内周側にランプソケット５２が収容されるとともに、ランプカバー５４の結合部５４ａが挿入される。従って、ランプカバー５４の結合部５４ａは、結合受け部５１ａの内周側にほぼガタツキなく挿入可能な外径寸法の円筒形状に形成されている。
ランプカバー５４は樹脂を素材として透明若しくは半透明の概ね円筒形状に一体成形されたもので、発光体としての蛍光管５３が発する光を効率よく通す透光性を有している。
ランプカバー５４の内面には、蛍光管５３の照明効率を高めるため（照射方向を使用者の前方に限定するため）の反射板（リフレクター）５５が貼り付けられている。この反射板５５によって蛍光管５３の照射方向は、使用者の前方一定の範囲に限定され、使用者側へは照射されないようになっている。従って、ランプカバー５４は、反射板５５が当該照明器具５０を把持した使用者側に位置するように本体ケース５１に取り付けられている。
【０００３】
このような構成の照明器具５０において、蛍光管５３の交換作業の便宜を図るために、ランプカバー５４は、一定の操作により本体ケース５１に対して容易に脱着できる必要がある一方（脱着容易性の確保）、取り付けた状態ではガタツキがなく、かつ当該照明器具５０を不用意に落下させてしまった場合等においてもランプカバー５４が本体ケース５１から容易に脱落しないよう確実に取り付けられる必要がある（結合強度の確保）。
また、上記したようにランプカバー５４の内面には反射板５５が取り付けられている。このため、ランプカバー５４の本体ケース５１への取り付けにあたっては、この反射板５５が本体ケース５１に対して周方向一定の位置（使用者側）に位置する状態でのみ当該ランプカバー５４の取り付けが完了するようにする必要がある。
このような条件を満たすために、本体ケース５１に対するランプカバー５４の取り付け構造は、以下のように構成されている。ランプカバー５４の結合部５４ａに抜け止め孔５４ｂを設ける一方、この抜け止め孔５４ｂに対応して本体ケース５１の結合受け部５１ａにも抜け止め孔５１ｂが設けられている。ランプカバー５４の結合部５４ａを本体ケース５１の結合受け部５１ａ内に挿入し、かつランプカバー５４側の抜け止め孔５４ｂと本体ケース５１側の抜け止め孔５１ｂを一致させることにより、反射板５５を使用者側に位置させた状態となる。この状態において、結合受け部５１ａの外周側に結合リング５６が装着される。
【０００４】
この結合リング５６は樹脂を素材とする一体成形もので、図示するようにＣ字型を有している。このため、この結合リング５６は開閉方向（径を変化させる方向）に適度な弾性を有している。すなわち、この結合リング５６は、その弾性に抗して周方向の欠落部（開口部５６ａ）を広げる方向に開くことができる。
この結合リング５６の内面には、抜け止め突起５６ｂが中心に向かって突き出すように設けられている。抜け止め突起５６ｂは、ランプカバー５４の抜け止め孔５４ｂと、本体ケース５１の抜け止め孔５１ｂに挿入可能な径で形成されている。
このように構成された結合リング５６は、その弾性に抗して開口部５６ａを開き、この開口部５６ａを経て本体ケース５１の結合受け部５１ａの外周側に装着する。装着に当たっては、抜け止め突起５６ｂをランプカバー５４の抜け止め孔５４ｂと本体ケース５１の抜け止め孔５１ｂに挿入する。これによりランプカバー５４が本体ケース５１の結合受け部５１ａから脱落不能に取り付けられ、かつ反射板５５が使用者側に位置する状態に取り付けられる。
装着した結合リング５６は、その開口部５６ａを小さくする方向の弾性により、結合受け部５１ａの外周側に密着状態で装着され、これによりランプカバー５４の本体ケース５１への取り付け状態が保持される。
【０００５】
【特許文献１】
特開２００２−２３１００２号公報
【特許文献２】
特開２００１−１６７６０１号公報
【０００６】
【発明が解決しようとする課題】
以上のように構成された本体ケース５１に対するランプカバー５４の従来の取り付け構造によれば、次のような問題があった。すなわち、本体ケース５１の結合受け部５１ａとランプカバー５４の結合部５４ａとの間の適度なクリアランスは、当該ランプカバー５４の脱着の容易性を確保するために避け得ないものであり、また結合リング５６はその弾性に抗して開口部５６ａを大きくする方向に開くことが許容されていた。このため、従来、例えば当該照明器具を不用意に落下させた場合等において、ランプカバー５４に衝撃が付加されると結合リング５６が開いてランプカバー５４が本体ケース５１から脱落し易い問題があった。
本発明は、この問題に鑑みなされたもので、例えば上記例示した形態の照明器具に適用することにより本体ケースに対するランプカバーの結合強度を高めることにより落下等した場合においてもランプカバーが容易に脱落しない取り付け構造であって、相互に結合される２部材間の強固な結合構造を提供することを目的とする。
【０００７】
【課題を解決するための手段】
このため、本発明は前記請求項に記載した構成の結合構造とした。
請求項１記載の結合構造によれば、結合リングの抜け止め突起が、一方の部材の抜け止め孔と、他方の部材の抜け止め孔にそれぞれ挿入されることにより、一方の部材の他方の部材に対する抜け止めがなされる。
しかも、結合リングの外周側には固定キャップが嵌め付けられ、この嵌め付け状態では結合リングの雄ねじ部に固定キャップの雌ねじ部が噛み合っていることにより、結合リングの開き方向の変位が規制されている。結合リングの開き方向の変位が規制されることにより、抜け止め突起の変位が規制され、これにより一方の部材の他方の部材に対する結合強度を高めることができる。
また、結合リングは、開閉方向に弾性を有しているので、その雄ねじ部の固定キャップの雌ねじ部に対する食い付きがよく、両者のねじ山相互間に大きな摩擦抵抗が発生することから固定キャップの緩み止めがなされ、この点でも一方の部材の他方の部材に対する結合強度を高めることができる。
さらに、結合リングがＣ字型を有している。このため、この結合リングは固定キャップのねじ込みによりその弾性に抗してわずかに偏平形状（真円でない形状）に変形しやすく、その結果雄ねじ部の一部と固定キャップの雌ねじ部の一部との間で大きな摩擦抵抗が発生することから固定キャップの緩み止めが一層確実になされる。
【０００８】
請求項２記載の結合構造によれば、結合リングの弾性を損なうことなく、雄ねじ部のねじ山を連続的に形成した場合と同等の作用効果を得ることができる。雄ねじ部のねじ山を連続的に例えば一周にわたって形成すると、このねじ山がリブとして機能することにより、当該結合リングの開閉方向の弾性能（弾性力）が大きく損なわれ、ひいては結合受け部に対する脱着が困難になる。
請求項３記載の結合構造によれば、結合リングの開閉方向の変位と軸方向の変位が規制されるので、一方の部材の他方の部材に対する結合強度をより確実に高めることができる。
請求項４記載の結合構造によれば、結合リングの抜け止め突起が、ランプカバーの抜け止め孔と、本体ケースの抜け止め孔にそれぞれ挿入されることにより、本体ケースに対するランプカバーの抜け止めがなされる。
また、結合リングの外周側には固定キャップが嵌め付けられて、結合リングの開き方向の変位が規制されている。結合リングの開き方向の変位が規制されることにより、抜け止め突起の変位が規制され、これによりランプカバーの結合部の本体ケースの結合受け部に対する相対変位が規制され、ひいてはランプカバーの本体ケースに対する結合強度が高められる。
また、結合リングは、開閉方向に弾性を有しているので、その雄ねじ部の固定キャップの雌ねじ部に対する食い付きがよく、両者のねじ山相互間に大きな摩擦抵抗が発生することから固定キャップの緩み止めがなされ、この点でもランプカバーの本体ケースに対する不用意な脱落を確実に防止することができる。
【０００９】
【発明の実施形態】
次に、本発明の実施の形態を図１〜図８に基づいて説明する。図１および図２は、本願発明に係る結合構造を備えた照明器具１を示している。この照明器具１は、照明器具として必要な電源回路等を本体ケース４に収容した器具本体４Ａと、ランプソケット３を介して器具本体４Ａに取り付けたランプ２と、本体ケース４の先端に取り付けられて、ランプ２を覆うランプカバー５を備えている。
本体ケース４は、半円筒形状のケースピース４ｂ，４ｂを対向させて固定ビス６〜６で相互固定した半割り構造を有している。この本体ケース４の先端側（図１，２において右側）に、円筒形状の結合受け部４ａが設けられている。本体ケース４の後端側（図１，２において左側）には、当該照明器具１の電源としてのバッテリ７が装着されている。本体ケース４の中央部は、使用者が把持し易い太さの円筒形状に形成されている。
ランプソケット３は、ほぼ円柱体形状を有しており、その周囲にはフランジ部３ａが設けられている。このフランジ部３ａが、本体ケース４の内周側に張り出すように設けた係合縁４ｃ，４ｃ間に嵌め込まれることにより、ランプソケット３が結合受け部４ａの内周側にガタツキなく固定されている。ランプソケット３は、スイッチ３ｂを備えている。このスイッチ３ｂは、本体ケース４の側面にオンオフ操作可能に配置されている。このスイッチ３ｂをオン操作するとランプ２が点灯し、オフ操作すると消灯する。
この本体ケース４の内部には、上記バッテリ７、ランプソケット３およびスイッチ３ｂ等を含む電源回路等が収容されているが、この点については従来通りの構成で足り本実施形態において特に変更を要しないので、詳しい説明および図示を省略する。
【００１０】
ランプ２には、棒状の蛍光管２本を並列に一体化したものが用いられている。このランプ２は、その基端側の接続部をランプソケット３に差し込んで本体ケース４の先端から突き出す状態で当該本体ケース４の結合受け部４ａに取り付けられている。
ランプカバー５は、透明樹脂製の円筒形状を有するもので、ランプ２を収容する状態で本体ケース４に取り付けられている。ランプカバー５の内面には、反射板８が貼り付けられている。この反射板８は、ランプカバー５の内面ほぼ半周の範囲を覆っている。
ランプ２の先端部と、ランプカバー５の先端内周側との間には、ゴム製のクッション部材９が介装されている。また、ランプカバー５の先端外周側にも、ゴム製のクッション部材１０が装着されている。この両クッション部材９，１０により、当該照明器具１を落下させてしまった場合等における衝撃が吸収され、これによりランプ２の破損等が防止されるようになっている。
【００１１】
次に、本体ケース４に対するランプカバー５の結合構造が図３〜図５に示されている。本体ケース４の結合受け部４ａと、ランプソケット３との間には一定幅のすき間が設けられている。このすき間にランプカバー５の結合部５ａが挿入されている。この結合部５ａの端部（ランプカバー５の端部）は、上記係合縁４ｃに当接している。これにより、ランプカバー５の結合受け部４ａに対する差し込み代が規制されている。
図４および図５に示すように本体ケース４の結合受け部４ａには、二つの抜け止め孔４ｄ，４ｄが周方向二等分位置に対向して設けられている。また、これに対応してランプカバー５の結合部５ａには二つの抜け止め孔５ｄ，５ｄが周方向二等分位置に対向して設けられている。ランプカバー５の結合部５ａを本体ケース４の結合受け部４ａに差し込んで、その周方向の位置を調整することによりランプカバー５の一方の抜け止め孔５ｄを本体ケース４側の一方の抜け止め孔４ｄに一致させると、それぞれの他方の抜け止め孔４ｄ，５ｄも相互に一致する。抜け止め孔４ｄ，５ｄが一致するようにランプカバー５の本体ケース４に対する周方向の位置を調整すると、ランプカバー５の内面に貼り付けた反射板８が使用者側（図１においてスイッチ３ｂとは反対側）若しくはその反対側に位置する。
【００１２】
次に、本体ケース４の結合受け部４ａの外周側に、前記した結合リング１１が装着されている。この結合リング１１が図６および図７に単体で示されている。この結合リング１１は、開閉方向（開口部１１ａを開閉する方向、以下同じ）に弾性を有している。この結合リング１１は、その弾性に抗して開くことによりその開口部１１ａを大きくすることができ、この開き状態で結合受け部４ａに対して取り付け、取り外しすることができる。
この結合リング１１の内周側の周方向二等分位置には、二つの抜け止め突起１１ｂ，１１ｂが中心に向かって突き出すように相互に対向して設けられている。この二つの抜け止め突起１１ｂ，１１ｂは、上記抜け止め孔４ｄ，５ｄにガタツキなく挿入できる径で形成されている。
結合リング１１をその弾性に抗して開いて、その内周側に結合受け部４ａを位置させ、この状態で両抜け止め突起１１ｂ，１１ｂをそれぞれ抜け止め孔４ｄ，５ｄに挿入することにより、当該結合リング１１を本体ケース４の結合受け部４ａの外周側に装着することができる。この装着状態では、抜け止め孔４ｄ，５ｄに抜け止め突起１１ｂが挿入されているので、ランプカバー５が本体ケース４に対して回転不能かつ抜け不能に取り付けられる。
また、結合リング１１は、その弾性により結合受け部４ａに密着し、これにより抜け止め突起１１ｂが抜け止め孔４ｄ，５ｄに挿入された状態に保持される。
逆に、その弾性に抗して取り付け状態の結合リング１１を開いて結合受け部４ａから外せば、両抜け止め突起１１ｂ，１１ｂが抜け止め孔４ｄ，５ｄから抜き出されるのでランプカバー５を本体ケース４から取り外すことができ、これによりランプ２の交換を行うことができる。
以上説明した結合リング１１の構成およびその機能は、従来の結合リング５６と同じであり、本発明の実施にあたって特に変更を要しない。
【００１３】
さて、結合リング１１の外周面には、三つのねじ山１１ｃ〜１１ｃが形成されている。このねじ山１１ｃ〜１１ｃは、単一の雄ねじ部を分断したもので、周方向三等分位置に断続的に点在しており、相互に連続したいわゆるねじのリードを有している。このねじ山１１ｃ〜１１ｃ（雄ねじ部）を介して当該結合リング１１の外周側には、樹脂製の固定キャップ１２が装着されている。この固定キャップ１２の内周側には雌ねじ部１２ａが形成されている。この雌ねじ部１２ａが結合リング１１のねじ山１１ｃ〜１１ｃに噛み合っている。結合リング１１の外周側に固定キャップ１２が締め込まれることにより、当該結合リング１１の開き方向の変位が規制され、これにより抜け止め突起１１ｂ，１１ｂの変位が規制されるので、結合受け部４ａに対する結合部５ａの相対変位が抑制され、ひいては本体ケース４に対するランプカバー５の不用意な脱落が防止される。
ランプ２を交換する場合には、この固定キャップ１２を緩めて結合リング１１の外周側から取り外し、然る後上記したように当該結合リング１１を結合受け部４ａから取り外すことによりランプカバー５を結合受け部４ａから取り外すことができる。
固定キャップ１２の内周側には、雌ねじ部１２ａの谷径よりも小さな径の段差部１２ｂが形成されている。固定キャップ１２を結合リング１１に締め込むと、この段差部１２ｂが結合リング１１の端面に当接する。これにより結合リング１１の軸方向の変位が規制されるので、この点でもランプカバー５の本体ケース４に対する不用意な脱落が防止される。
【００１４】
以上説明したように本実施形態の照明器具１によれば、結合リング１１の外周側に固定キャップ１２がねじ込まれて、結合リング１１の開き方向の変位が規制されるので、両抜け止め突起１１ｂ，１１ｂの抜け方向の変位が規制され、これによりランプカバー５の本体ケース４に対する結合強度が高められる。このようにランプカバー５の本体ケース４に対する結合強度が高められることにより、当該照明器具１の落下等によるランプカバー５の不用意な脱落を防止できるとともに、当該照明器具１の使用時におけるランプカバー５のガタツキを抑制することができる。
また、本実施形態の照明器具１によれば、結合リング１１の外周面にねじ山１１ｃ〜１１ｃを設け、このねじ山１１ｃ〜１１ｃを介して結合受け部４ａにねじ込む固定キャップ１２を設定すれば足りることから、従来構成に比して大きなコストアップを招くことなく上記作用効果を得ることができる。
さらに、樹脂製の結合リング１１の外周側に、同じく樹脂製の固定キャップ１２をねじ込む構成であるので、ねじ山１１ｃ〜１１ｃ（雄ねじ部）と雌ねじ部１２ａとの間に相互の弾性による食い付き状態が発生し、これにより固定キャップ１２の緩み止めがなされる。
【００１５】
以上説明した実施形態には種々変更を加えることができる。例えば、ランプ２として蛍光管を用いる構成を例示したが、通常の電球あるいはＬＥＤ（発行ダイオード）をランプとして用いる場合にも同様に適用することができる。
また、結合リング１１の外周面の周方向三等分位置にねじ山１１ｃ〜１１ｃを設ける構成を例示したが、周方向二等分位置に二つのねじ山を設ける構成、あるいはねじ山を四箇所以上に分断して点在させる構成としてもよい。また、結合リング１１の弾性を阻害しない範囲で、一つのねじ山を長くすることもできる。
また、ランプカバー５の結合部５ａを、本体ケース４の結合受け部４ａの内周側に差し込んで結合する構成を例示したが、逆にランプカバーの結合部の内周側に本体ケースの結合受け部を差し込んで結合する構成の場合にも同様に適用することができる。
さらに、照明器具１におけるランプカバー５の器具本体４Ａ（本体ケース４）に対する結合構造を例示したが、本願発明は、円筒形状の結合部を有する一方の部材を、同じく円筒形状の結合受け部を有する他方の物品に結合する場合に広く適用することができる。
【図面の簡単な説明】
【図１】本発明の実施形態を示す図であって、照明器具全体の側面図である。本図では、ランプカバーが縦断面で示されている。
【図２】図１の（２）矢視図であって、照明器具全体の平面図である。本図では、ランプカバーが横断面で示されている。
【図３】ランプカバーの本体ケースに対する結合構造の側面図である。
【図４】ランプカバーの本体ケースに対する結合構造の平面図である。
【図５】図４の（５）−（５）線断面矢視図である。
【図６】結合リングの平面図である。
【図７】結合リングの側面図である。
【図８】固定キャップの縦断面図である。
【図９】従来の照明器具の分解斜視図である。
【符号の説明】
１…照明器具
２…ランプ（蛍光管）
３…ランプソケット
４Ａ…器具本体、４…本体ケース
４ａ…結合受け部、４ｄ…抜け止め孔
５…ランプカバー、５ａ…結合部、５ｄ…抜け止め孔
７…バッテリ
８…反射板
１１…結合リング、１１ａ…開口部、１１ｂ…抜け止め突起、１１ｃ…ねじ山
１２…固定キャップ、１２ａ…雌ねじ部
５０…従来の照明器具
５１…本体ケース
５４…ランプカバー
【図１】
2004303426.tif 000003
【図２】
2004303426.tif 000004
【図３】
2004303426.tif 000005
【図４】
2004303426.tif 000006
【図５】
2004303426.tif 000007
【図６】
2004303426.tif 000008
【図７】
2004303426.tif 000009
【図８】
2004303426.tif 000010
【図９】
2004303426.tif 000011